(57)【要約】【課題】生産性に優れ、強固な棚板部を備えた遊技島を提供する。【解決手段】少なくとも正面側遊技列(3F)を形成する遊技島において、隣り合う正面側支柱(5F)を連結する正面側梁部材(6F)と、隣り合う背面側支柱(5B)を連結する背面側梁部材(6B)の間に、１枚の盤状体(28)を架設する構成であり、盤状体(28)は、正面側梁部材(6F)と背面側梁部材(6B)に搭載され固着される正面側支持板部(7F)と背面側支持板部(7B)を一体に形成し、該盤状体の中央部に樋(25)に臨む窓孔(29)を開設し、少なくとも正面側支持板部(7F)から正面側棚板部(8F)を一体に延設している。【選択図】図８
2010184061.tif 000002
【特許請求の範囲】
【請求項１】
正面側フレーム(4F)と背面側フレーム(4B)を構築し、少なくとも正面側フレーム(4F)に、左右に列設される複数の遊技機から成る正面側遊技列(3F)を形成する遊技島であり、
前記正面側フレーム(4F)は、左右に間隔をあけて立設された正面側支柱(5F)と、隣り合う正面側支柱を連結する正面側梁部材(6F)を備え、
前記背面側フレーム(4B)は、左右に間隔をあけて立設された背面側支柱(5B)と、隣り合う背面側支柱を連結する背面側梁部材(6B)を備え、
前記正面側梁部材(6F)と背面側梁部材(6B)の間に位置する下方空間に樋(25)を設けて成る構成において、
前記正面側梁部材(6F)と背面側梁部材(6B)に架設される１枚の盤状体(28)を設け、
該盤状体(28)は、前記正面側梁部材(6F)と背面側梁部材(6B)に搭載される正面側支持板部(7F)及び背面側支持板部(7B)と、少なくとも正面側遊技列(3F)から外方に張り出すように前記正面側支持板部(7F)から延設された正面側棚板部(8F)を一体に形成し、前記正面側支持板部(7F)と背面側支持板部(7B)の間に位置する該盤状体の中央部に前記樋に臨む窓孔(29)を開設し、該盤状体の少なくとも左右両縁部に正面側支持板部(7F)と背面側支持板部(7B)を一体に連結すると共に前記樋の上部開口を被う盤部(30a)(30b)を備えて成ることを特徴とする遊技島。
【請求項２】
前記正面側支持板部(7F)と背面側支持板部(7B)の上に座板(7C) (7C)を設けており、
前記盤状体(28)と前記座板(7C) (7C)は、それぞれ木製の板部材により構成され、前記盤状体の窓孔(29)を挟む正面側と背面側の上面に前記座板(7C)
(7C)を固着一体化して成ることを特徴とする請求項１に記載の遊技島。
【請求項３】
前記正面側梁部材(6F)と背面側梁部材(6B)は、金属製の梁部材(6)により構成され、それぞれの長手方向に間隔をあけてナット(35)を固着しており、
前記樋(25)の正面壁と背面壁は、それぞれ正面側支柱(5F)と背面側支柱(5B)の内側に添設される金属製の正面側壁板(26F)と背面側壁板(26B)により構成され、該正面側壁板と背面側壁板の上端からそれぞれ前記梁部材(6)の上に重ね合わせられる被着片(37)を折曲形成すると共に、該被着片に前記ナットに一致する挿通孔(38)を形成しており、
前記盤状体(28)は、正面側支持板部(7F)と背面側支持板部(7B)に位置して前記ナット(35)に通じる固着孔(39)を貫設しており、該盤状体(28)を前記正面側壁板及び背面側壁板の被着片(37)の上に架設した状態で、前記固着孔(39)を介してボルト(40)を前記ナット(35)に螺着するように構成して成ることを特徴とする請求項１又は２に記載の遊技島。
【請求項４】
前記盤状体(28)に貫設された固着孔(39)は、上面から凹入する座グリ部(39a)を形成しており、該座グリ部にボルトの頭部(40a)を埋入した状態で該座グリ部(39a)の上に遊技機(2)を搭載するように構成されて成ることを特徴とする請求項３に記載の遊技島。
【発明の詳細な説明】
【技術分野】
【０００１】
本発明は、パチンコ機等の遊技機を列設する遊技島に関する。
【背景技術】
【０００２】
従来、遊技島は、複数の遊技機を左右に列設する遊技列を形成し、このような遊技列を正面側と背面側の両側に形成するための正面側フレームと背面側フレームを構築しており、正面側フレームと背面側フレームの間の下方空間に遊技球を回収する溝状通路を構成する樋を設けている。
【０００３】
正面側フレームは、左右に間隔をあけて立設された正面側支柱と、隣り合う正面側支柱を連結する正面側梁部材と、正面側梁部材の上方に搭載される遊技機の底部を支持する正面側支持板と、該正面側支持板から外方に張り出す正面側棚板部を備えている。
【０００４】
通常、正面側支柱の間隔ピッチは、遊技機の幅に対応する寸法、或いは遊技機の幅の整数倍に対応する寸法に設定されており、このような間隔ピッチに応じて左右方向に延びる正面側支持板の上に遊技機を搭載することにより、正面側遊技列が形成される。この状態で、列設された遊技機の下縁に沿って正面側棚板が張り出し状に延設され、遊技球の容器や、ユーザの携帯品等を載置するための棚として供される。
【０００５】
背面側フレームは前記正面側フレームと背あわせの状態で対称形となるように形成される。即ち、左右に間隔をあけて立設された背面側支柱と、隣り合う背面側支柱を連結する背面側梁部材と、背面側梁部材の上方に搭載される遊技機の底部を支持する背面側支持板と、該背面側支持板から外方に張り出す背面側棚板を備えている。
【０００６】
正面側フレームの場合と同様に、背面側支柱の間隔ピッチは、遊技機の幅に対応する寸法、或いは遊技機の幅の整数倍に対応する寸法に設定されており、このような間隔ピッチに応じて左右方向に延びる背面側支持板の上に遊技機を搭載することにより、背面側遊技列が形成される。この状態で、列設された遊技機の下縁に沿って背面側棚板が張り出し状に延設され、遊技球の容器や、ユーザの携帯品等を載置するための棚として供される。
【０００７】
一般的に、正面側棚板と背面側棚板は、それぞれ別個独立した幅広の木板により構成され、正面側支持板と背面側支持板は、それぞれ別個独立した細幅の木板により構成されている。正面側棚板と背面側棚板を構成する幅広の木板は、それぞれ単独状態で、正面側梁部材と背面側梁部材の上に固着され、その上に正面側支持板と背面側支持板を構成する細幅の木板が、それぞれ単独状態で、釘等を打ち付けることにより固着される。
【先行技術文献】
【特許文献】
【０００８】
【特許文献１】特開２００６−１３２１３３号公報
【特許文献２】特開２００５−２４５６５１号公報
【発明の概要】
【発明が解決しようとする課題】
【０００９】
従来技術の場合、正面側棚板と背面側棚板は、それぞれ別個独立した幅広の木板から成り、それぞれ単独状態で、正面側梁部材と背面側梁部材の上に固着される構成であるから、遊技島を構築する際の作業工程が多く、生産性を向上することが困難である。
【００１０】
しかも、このような棚板は、遊技列の下縁に沿って張り出し状に延設され、遊技球の容器や、ユーザの携帯品等を載置するための棚として供され、棚としての十分な強度が求められる。このため、下側から補強ブラケット等を設けることにより補強することが望ましいが、これにより更に生産性が低下する。
【００１１】
特に近年のコスト削減の傾向は、遊技島においても例外ではなく、正面側フレーム及び背面側フレームを構成するための種々の金属フレームを可及的薄肉とする必要に迫られているのが現状であり、コスト削減と、生産性の向上と、所要個所の十分な強度が要求され、このような要求を全て満足することが望まれている。
【課題を解決するための手段】
【００１２】
本発明は、上記の要求に応える遊技島を提供するものであり、その手段として構成したところは、正面側フレーム(4F)と背面側フレーム(4B)を構築し、少なくとも正面側フレーム(4F)に、左右に列設される複数の遊技機から成る正面側遊技列(3F)を形成する遊技島であり、前記正面側フレーム(4F)は、左右に間隔をあけて立設された正面側支柱(5F)と、隣り合う正面側支柱を連結する正面側梁部材(6F)を備え、前記背面側フレーム(4B)は、左右に間隔をあけて立設された背面側支柱(5B)と、隣り合う背面側支柱を連結する背面側梁部材(6B)を備え、前記正面側梁部材(6F)と背面側梁部材(6B)の間に位置する下方空間に樋(25)を設けて成る構成において、前記正面側梁部材(6F)と背面側梁部材(6B)に架設される１枚の盤状体(28)を設け、該盤状体(28)は、前記正面側梁部材(6F)と背面側梁部材(6B)に搭載される正面側支持板部(7F)及び背面側支持板部(7B)と、少なくとも正面側遊技列(3F)から外方に張り出すように前記正面側支持板部(7F)から延設された正面側棚板部(8F)を一体に形成し、前記正面側支持板部(7F)と背面側支持板部(7B)の間に位置する該盤状体の中央部に前記樋に臨む窓孔(29)を開設し、該盤状体の少なくとも左右両縁部に正面側支持板部(7F)と背面側支持板部(7B)を一体に連結すると共に前記樋の上部開口を被う盤部(30a)(30b)を備えて成る点にある。
【００１３】
本発明の実施形態において、前記正面側支持板部(7F)と背面側支持板部(7B)の上に座板(7C) (7C)が設けられる。この際、前記盤状体(28)と前記座板(7C) (7C)は、それぞれ木製の板部材により構成し、前記盤状体の窓孔(29)を挟む正面側と背面側の上面に前記座板(7C)
(7C)を固着一体化することが好ましい。
【００１４】
前記正面側梁部材(6F)と背面側梁部材(6B)は、金属製の梁部材(6)により構成され、それぞれの長手方向に間隔をあけてナット(35)を固着しており、前記樋(25)の正面壁と背面壁は、それぞれ正面側支柱(5F)と背面側支柱(5B)の内側に添設される金属製の正面側壁板(26F)と背面側壁板(26B)により構成され、該正面側壁板と背面側壁板の上端からそれぞれ前記梁部材(6)の上に重ね合わせられる被着片(37)を折曲形成すると共に、該被着片に前記ナットに一致する挿通孔(38)を形成しており、前記盤状体(28)は、正面側支持板部(7F)と背面側支持板部(7B)に位置して前記ナット(35)に通じる固着孔(39)を貫設しており、該盤状体(28)を前記正面側壁板及び背面側壁板の被着片(37)の上に架設した状態で、前記固着孔(39)を介してボルト(40)を前記ナット(35)に螺着するように構成することが好ましい。
【００１５】
前記盤状体(28)に貫設された固着孔(39)は、上面から凹入する座グリ部(39a)を形成しており、該座グリ部にボルトの頭部(40a)を埋入した状態で該座グリ部(39a)の上に遊技機(2)を搭載するように構成されているのが好ましい。
【発明の効果】
【００１６】
請求項１に記載の本発明によれば、１枚の盤状体２８により正面側支持板部７Ｆと背面側支持板部７Ｂと正面側棚板部８Ｆが一体に形成されており、１枚の盤状体２８を正面側梁部材６Ｆと背面側梁部材６Ｂに架設することにより、正面側フレーム４Ｆと背面側フレーム４Ｂを連結すると同時に、正面側遊技列３Ｆの正面側棚板部８Ｆを形成できるので、遊技島１の生産性が向上する。
【００１７】
特に、盤状体２８は、正面側梁部材６Ｆと背面側梁部材６Ｂに架設される正面側支持板部７Ｆと背面側支持板部７Ｂを相互に盤部３０ａ、３０ｂを介して一体に連結され、このような一体構造とされた正面側支持板部７Ｆから正面側棚板部８Ｆを一体に延設している。従って、正面側棚板部８Ｆは、重量物が載置される等、大きな下向き荷重を受けても、偏位したり歪んだりすることがなく、極めて強固な棚を提供できるという効果がある。
【００１８】
この際、遊技機２は、縦軸回りに開閉可能であり、点検可能とされているところ、盤状体２８は、樋２５の上部開口を開放する窓孔２９を開設しているので、樋２５の保守点検が可能である。
【００１９】
ところで、パチンコのユーザは、悪戯等のつもりで、隣接する遊技機２、２の間の狭い隙間からチラシ等の異物を挿入することがあり、その場合、挿入されたチラシが樋２５に落下すると、遊技球の回収を阻害する異常状態を生起するという問題があるが、本発明によれば、前記盤部３０ａ、３０ｂが隣り合う遊技機２、２の隣接部に対応する盤状体２８の両縁部に設けられ、該盤部３０ａ、３０ｃにより樋２５の上部開口を被っているので、仮にチラシ等が挿入されても、樋２５に落下することを防止できる。
【００２０】
請求項２に記載の本発明によれば、木製の板部材により形成した盤状体２８の正面側支持板部７Ｆと背面側支持板部７Ｂの上に、木製の板部材により形成した座板７Ｃ、７Ｃを固着一体化した構成であるから、これにより盤状体２８を補強できる。しかも、盤状体２８を正面側梁部材６Ｆと背面側梁部材６Ｂに架設すると同時に、座板７Ｃが遊技機２の搭載用座を提供するので、遊技島１の生産性を更に向上する。
【００２１】
請求項３に記載の本発明によれば、正面側支柱５Ｆと背面側支柱５Ｂに固着された梁部材６のそれぞれに、樋２５の壁板２６の被着片３７を載せて吊持させた状態で、その上から盤状体２８を搭載し、ボルト４０をナット３５に締着すれば、梁部材６の水平部３３と、壁板２６の被着片３７と、盤状体２８がサンドイッチ状に固着されるので、作業性が頗る良い。
【００２２】
請求項４に記載の本発明によれば、盤状体２８の上に遊技機２を搭載した状態で、前記ボルト４０の頭部４０ａを埋入した座グリ部３９ａが遊技機２（又はその取付枠）の底部により閉塞されるように構成されているので、ボルト４０の弛みを防止できる。
【図面の簡単な説明】
【００２３】
【図１】本発明の１実施形態を示す斜視図である。
【図２】本発明の１実施形態に使用する支柱ユニットを左側から示す斜視図である。
【図３】前記支柱ユニットを右側から示す斜視図である。
【図４】本発明の１実施形態の構成部材を分解して示す斜視図である。
【図５】支柱ユニットと、梁部材と、側壁板と、盤状体の関係を示す分解斜視図である。
【図６】盤状体の意匠形態を上から見た状態を正面として示し、（Ａ）は正面図、（Ｂ）は背面図、（Ｃ）は底面図、（Ｄ）は左側面図、（Ｅ）は右側面図、（Ｆ）はＡ−Ａ断面図、（Ｇ）はＢ−Ｂ断面図である。
【図７】本発明の１実施形態に関して、盤状体を上から示す平面図である。
【図８】図７のＣ−Ｃ断面図である。
【図９】本発明の１実施形態に関する樋の構成部材を分解して示す斜視図である。
【図１０】本発明の１実施形態に関する樋を示す縦断面図である。
【図１１】参考例に関する樋を示す縦断面図である。
【発明を実施するための形態】
【００２４】
以下図面に基づいて本発明の好ましい実施形態を詳述する。
【００２５】
（全体的構成）
図１に示すように、遊技島１は、正面側フレーム４Ｆと背面側フレーム４Ｂを構築し、複数のパチンコ機又はパチスロ機等の遊技機２を左右に列設して成る正面側遊技列３Ｆと背面側遊技列３Ｂをそれぞれ正面側フレーム４Ｆと背面側フレーム４Ｂに形成している。従って、図例の場合、正面側遊技列３Ｆと背面側遊技列３Ｂを有する両面形式の島を構成する。しかしながら、本発明は、必ずしも両面形式の島に限定されるものではなく、少なくとも正面側フレーム４Ｆに正面側遊技列３Ｆを形成し、背面側フレーム４Ｂをパチンコホールの壁面に沿って設置する片面形式の島であっても良い。
【００２６】
図１及び図４に示すように、正面側フレーム４Ｆは、左右に間隔をあけて立設された正面側支柱５Ｆ、５Ｆと、隣り合う正面側支柱を連結する正面側梁部材６Ｆと、正面側梁部材６Ｆの上方に搭載される正面側支持板部７Ｆと、該正面側支持板部から外方に張り出す正面側棚板部８Ｆを備えている。
【００２７】
通常、正面側支柱５Ｆ、５Ｆの間隔ピッチは、遊技機２の幅に対応する寸法、或いは遊技機２の幅の整数倍に対応する寸法に設定されており、このような間隔ピッチに応じて左右方向に延びる正面側支持板部７Ｆの上に遊技機２を搭載することにより、正面側遊技列３Ｆが形成される。この状態で、列設された遊技機２、２の下縁に沿って正面側棚板部８Ｆが張り出し状に延設され、遊技球の容器や、ユーザの携帯品等を載置するための棚として供される。
【００２８】
背面側フレーム４Ｂは前記正面側フレーム４Ｆと背あわせの状態で対称形となるように形成される。即ち、左右に間隔をあけて立設された背面側支柱５Ｂ、５Ｂと、隣り合う背面側支柱を連結する背面側梁部材６Ｂ（図８参照）と、背面側梁部材の上方に搭載される背面側支持板部７Ｂを備え、両面形式の島を形成する図示実施形態の場合は、該背面側支持板部から外方に張り出す背面側棚板部８Ｂを備えている。
【００２９】
正面側フレーム４Ｆの場合と同様に、背面側支柱５Ｂ、５Ｂの間隔ピッチは、遊技機２の幅に対応する寸法、或いは遊技機２の幅の整数倍に対応する寸法に設定され、両面形式の島を形成する図示実施形態の場合は、このような間隔ピッチに応じて左右方向に延びる背面側支持板部７Ｂの上に遊技機２を搭載することにより、背面側遊技列３Ｂが形成される。この状態で、列設された遊技機２の下縁に沿って背面側棚板部８Ｂが張り出し状に延設され、遊技球の容器や、ユーザの携帯品等を載置するための棚として供される。
【００３０】
（支柱ユニットの構成）
正面側と背面側に対応する正面側支柱５Ｆと背面側支柱５Ｂは、図２及び図３に示すような支柱ユニット５Ｕを構成している。支柱ユニット５Ｕは、全体的に金属板で形成され、底辺部９の両端から正面側支柱５Ｆと背面側支柱５Ｂを起立し、両支柱の上端を上辺部１０により連結した一体枠状の矩形枠１１を構成しており、前記上辺部１０に上部フレーム１２をビス等で固着される。
【００３１】
前記矩形枠１１の底辺部９及び一対の支柱５Ａ、５Ｂは、内周縁部をほぼ直角に折曲することにより補強リブ１３を形成している。一対の支柱５Ａ、５Ｂは、底辺部９の下端から所定高さｈの領域で、前記補強リブ１３の折曲方向と同じ方向に向けてほぼ直角に折曲された連結支柱部１４、１４を延設し、該連結支柱部１４、１４の側縁を相互に対向するようにほぼ直角に折曲することにより内向きリブ１５を形成している。尚、連結支柱部１４、１４には多数の被着孔が形成されている。
【００３２】
前記矩形枠１１の上辺部１０は、外周縁部を前記補強リブ１３の折曲方向と同じ方向に向けてほぼ直角に折曲することにより門形の庇部１６を形成すると共に、該上辺部１０の内周縁部のほぼ中央に下向きの舌片１７を延設し、該舌片にガイド孔１７ａを開設している。
【００３３】
前記上フレーム１２は、前記上辺部１０よりも長く延びる基板部１８の両端から起立部１９、１９を延設し、基板部１８の両端部と起立部１９、１９の外周縁部を前記庇部１６の折曲方向と同じ方向に向けてほぼ直角に折曲することにより横壁部２０を形成している。
【００３４】
上フレーム１２の基板部１８を矩形枠１１の上辺部１０に重ね合わせると共にビス等で固着することにより支柱ユニット５Ｕが形成され、図４に示すように、複数の支柱ユニット５Ｕ、５Ｕが前述した所定間隔ピッチで設置される。
【００３５】
（支柱ユニットの連結構成）
そこで、支柱ユニット５Ｕ、５Ｕは、正面側においては、左右に隣り合う正面側支柱５Ｆ、５Ｆの連結支柱部１４の上端近傍部を前記被着孔を介して正面側梁部材６Ｆにより連結され、下端近傍部を前記被着孔を介して正面側連結幕板２１Ｆにより連結され、これにより、正面側フレーム４Ｆが構築される。同様に、背面側においても、左右に隣り合う背面側支柱５Ｂ、５Ｂの連結支柱部１４の上端近傍部を前記被着孔を介して背面側梁部材６Ｂ（図８参照）により連結され、下端近傍部を前記被着孔を介して背面側連結幕板２１Ｂ（図８参照）により連結され、これにより、背面側フレーム４Ｂが構築される。
【００３６】
支柱ユニット５Ｕ、５Ｕの上フレーム１２は、正面側において、左右に隣り合う横壁部２０の上端近傍部を正面側上桟部材２２Ｆにより連結され、下端近傍部を正面側下桟部材２３Ｆにより連結され、横壁部２０の下面を正面側木板２４Ｆにより連結される。同様に、背面側において、左右に隣り合う横壁部２０の上端近傍部を背面側上桟部材２２Ｂ（図１参照）により連結され、下端近傍部を背面側下桟部材２３Ｂ（図１参照）により連結され、横壁２０の下面を背面側木板２４Ｂ（図１参照）により連結される。
【００３７】
このようにして構築された正面側フレーム４Ｆと背面側フレーム４Ｂの間には、前記矩形枠１１の枠内空間に相当する空間部Ｓが形成される。空間部Ｓの上部は、前記ガイド孔１７を介して保持される配線等の機器空間として利用される。空間部Ｓの下部は、遊技球を回収する溝状通路を形成する樋２５を形成するための内部空間として利用される。その間に位置する空間部Ｓの中程部は、梁部材６Ｆ、６Ｂの上方に搭載される遊技機２の搭載空間として利用される。
【００３８】
図１に示すように、前記樋２５は、正面側壁板２６Ｆと背面側壁板２６Ｂにより左右長手方向に延びる溝状通路の両側壁を構成し、該両側壁に架設される多数の底板２７を長手方向に連設することにより溝状通路の底壁を構成する。
【００３９】
（盤状体の構成）
図４に示すように、正面側梁部材６Ｆと背面側梁部材６Ｂ（図８参照）に架設される１枚の盤状体２８が設けられる。盤状体２８は、正面側梁部材６Ｆと背面側梁部材６Ｂに搭載される正面側支持板部７Ｆと背面側支持板部７Ｂを一体に備え、正面側支持板部７Ｆと背面側支持板部７Ｂの間に位置する中央部に前記樋２５に臨む窓孔２９を開設し、該盤状体２８の少なくとも左右両縁部に正面側支持板部７Ｆと背面側支持板部７Ｂを一体に連結する盤部３０ａ、３０ｂを形成している。図例の場合、複数の窓孔２９、２９を形成することにより、両窓孔の間にも盤部３０ｃが形成されている。そして、盤状体２８は、図示実施形態のような両面形式の島を形成するため、前記正面側支持板部７Ｆと背面側支持板部７Ｂから正面側棚板部８Ｆと背面側棚板部８Ｂを一体に延設している。尚、片面形式の島を形成する場合は、背面側棚板部８Ｂを設けない。
【００４０】
図示実施形態の場合、前記盤状体２８は、前記正面側支持板部７Ｆ及び背面側支持板部７Ｂの上に座板７Ｃ、７Ｃを設けている。盤状体２８と座板７Ｃ、７Ｃは、それぞれ木製の板部材により構成され、前記盤状体２８の窓孔２９、２９を挟んで正面側支持板部７Ｆと背面側支持板部７Ｂの上面に座板７Ｃ、７Ｃを接着剤３１等（図８参照）で固着一体化している。これにより、座板７Ｃ、７Ｃが遊技機２を搭載するための座面を提供する。
【００４１】
盤状体２８の左右方向の幅寸法は、左右に間隔をあけて配列された正面側支柱５Ｆ、５Ｆ及び背面側支柱５Ｂ、５Ｂの間隔ピッチに対応するように形成されており、盤状体２８の一側縁に位置して、該支柱５Ｆ、５Ｂと補強リブ１３、１３を嵌合させるための切欠部３２を該盤状体２８並びに座板７Ｃ、７Ｃに形成している。
【００４２】
図示実施例の場合、幅広の木製板から成る盤状体２８に固着一体化された幅狭の木製板により正面側支持板部７Ｆと背面側支持板部７Ｂから隆起するように座板７Ｃ、７Ｃを設けているが、座板７Ｃ、７Ｃは、必ずしも設けなくても良い。
【００４３】
（盤状体等の組付構成）
図５並びに図７及び図８に示すように、正面側梁部材６Ｆ及び背面側梁部材６Ｂは、金属板の梁部材６により形成され、水平板部３３から垂下板部３４を延設しており、水平板部３３の両端を連結支柱部１４の上端に載置した状態で、前記垂下板部３４を被着孔を介して連結支柱部１４に固着される。この際、水平板部３３は、長手方向に間隔をあけてナット３５を溶接等により固着しており、該ナット３５は水平板部３３に埋設されるが、上部を上方に僅かに突出するように設けられている。尚、図８は、垂下板部３４に水平板部３３を下方から支持するブラケット片３６を設けた例を示しているが、このようなブラケット片３６は設けなくても良い。
【００４４】
樋２５の正面側壁板２６Ｆと背面側壁板２６Ｂは、連結支柱部１４の内側に添設される金属板製の壁板２６により形成され、該壁板２６の上端から前記梁部材６の上に重ね合わせられる被着片３７を折曲形成している。この際、被着片２７は、長手方向に間隔をあけて前記ナット３５の突出部に外挿される孔３８が形成されている。
【００４５】
盤状体２８は、座板７Ｃ、７Ｃから正面側支持板部７Ｆ及び背面側支持板部７Ｂを貫通して前記ナット３５に通じる固着孔３９を貫設しており、該盤状体２８を正面側梁部材６Ｆと背面側梁部材６Ｂの被着片３７、３７の上に搭載し架設した状態で、前記固着孔３９を介してボルト４０を前記ナット３５に螺着するように構成されている。この際、固着孔３９は、上端開口の周囲に凹入する座グリ部３９ａを形成しており、該座グリ部３９ａにボルト４０の頭部４０ａを埋入し、その上に遊技機２を搭載するように構成されている。
【００４６】
（島の構築）
従って、上記構成によれば、所定間隔をあけて設置された支柱ユニット５Ｕは、連結支柱部１４に梁部材６を連結固着した後、連結支柱部１４の内側に添設した壁板２６の被着片３７を孔３８とナット３５の位置決めを介して梁部材６の水平部３３の上に載せることにより吊持させた状態で、その上から盤状体２８を搭載し、ボルト４０をナット３５に締着すれば、梁部材６の水平部３３と、壁板２６の被着片３７と、盤状体２８がサンドイッチ状に固着されるので、作業性が頗る良い。
【００４７】
そして、上述のように支柱ユニット５Ｕの上フレーム１２に対して、上桟部材２２、下桟部材２３、木板２４を取り付け固着することにより、全体を剛体化した正面側フレーム４Ｆと背面側フレーム４Ｂを備えた遊技島１のフレーム構造を簡単に構築することができるので、生産性を向上する。しかも、支柱ユニット５Ｕや、梁部材６や、壁板２６等は、金属パイプ材を使用することなく、可及的薄い金属板によりスリムな形態で形成することができるので、大幅なコスト削減が可能になる。
【００４８】
上述のように、１枚の盤状体２８の正面側支持板部７Ｆと背面側支持板部７Ｂを正面側梁部材６Ｆと背面側梁部材６Ｂに固着することにより、正面側フレーム４Ｆと背面側フレーム４Ｂが強固に連結された剛性の高い島を構築する。この際、盤状体２８には、正面側棚板部８Ｆ及び背面側棚板部８Ｂが一体に形成されており、相互に盤部３０ａ、３０ｂ、３０ｃを介して一体に連結されているので、重量物が載置される等、大きな下向き荷重を受けても、偏位したり歪んだりすることがなく、極めて強固な棚を提供する。尚、片面形式の島の場合、背面側棚板部８Ｂは形成されておらず、正面側棚板部８Ｆだけが一体に形成されるが、この場合でも、正面側棚板部８Ｆは、正面側梁部材６Ｆに固着される正面側支持板部７Ｆから更に盤部３０ａ、３０ｂ、３０ｃを介して一体に延長された背面側支持板部７Ｂを背面側梁部材６Ｂに固着されているので、極めて強固な棚を提供する。
【００４９】
盤状体２８に一体固着された座板７Ｃ、７Ｃに遊技機２を搭載することにより、遊技列３Ｆ、３Ｂが提供される。この際、ボルト頭部４０ａを埋入した座グリ部３９ａが遊技機２（又はその取付枠）の底部により閉塞されるので、ボルト４０の弛みが防止される。
【００５０】
ところで、パチンコのユーザは、悪戯等のつもりで、隣接する遊技機２、２の間の狭い隙間からチラシ等の異物を挿入することがあり、その場合、挿入されたチラシが樋２５に落下すると、遊技球の回収を阻害する異常状態を生起する。この点に関して、上記構成によれば、遊技機２、２の隣接部に位置する盤状体２８の両側縁部に盤部３０ａ、３０ｂが備えられ、該盤部３０ａ、３０ｃにより樋２５の上部開口を被っているので、仮にチラシ等が挿入されても、樋２５に落下することを防止できる。
【００５１】
因みに、遊技機２は、図１に鎖線で示すように縦軸回りに開閉可能とされ、開けた状態で遊技機２の裏側を点検することが可能となるように構成されている。そこで、盤状体２８は、樋２５の上部開口を開放する窓孔２９、２９を開設しているので、樋２５の保守点検が可能となる。
【００５２】
（樋の構成）
上述のように、遊技球を回収する溝状通路を形成する樋２５は、正面側支柱５Ｆの内側に添設された正面側壁板２６Ｆと、背面側支柱５Ｂの内側に添設された背面側壁板２６Ｂにより左右長手方向に延びる溝状通路の両側壁を形成し、該両側壁に架設される複数の底板２７を長手方向に連設することにより溝状通路の底壁を形成する。この際、樋の底壁を構成する底板２７は、上流側Ｕから下流側Ｄに向かい水平線に対して所定角度θの下降勾配を有するように設置される。この勾配の角度θは、パチンコ遊技球の回収用樋の場合、通常、約３度（厳格には２．８６度）に設定することが求められる。
【００５３】
図９及び図１０に示すように、正面側壁板２６Ｆ及び背面側壁板２６Ｂを構成する金属板製の壁板２６は、長手方向に複数枚の壁板２６、２６を連設することにより樋２５の側壁を形成する。このため、壁板２６の連設部にはフランジ４１が外向きに折曲形成されており、該フランジをボルト・ナット及び／又は溶接等で固着することにより連続的に延設される。壁板２６（正面側壁板２６Ｆ及び背面側壁板２６Ｂ）には、相互に対向するレール状の被係止部４２が設けられている。被着片３７を梁部材６に固着することにより壁板２６を取り付けた状態で、該被係止部４２は、上流側Ｕから下流側Ｄに向かい水平線に対して角度θ１（θ１＞θ）の下降勾配を有するように形成されている。図例の場合、被係止部４２は、壁板２６の下縁部を断面ほぼＵ形のレール状に折曲することにより形成され、該レールにより形成されるレール状溝の底部が長手方向に前記角度θ１で長く延びている。
【００５４】
底板２７は、樋２５の底壁を構成する平板部４３の両側縁から前記被係止部４２、４２に係止される係止部４４を延設している。係止部４４は、上流側Ｕに位置する係止部４４ａと平板部４３の間に形成される高低差Ｈ２と、下流側Ｄに位置する係止部４４ｂと平板部４３の間に形成される高低差Ｈ１が、Ｈ１＞Ｈ２となるように形成され、これにより上流側Ｕの係止部４４ａと下流側Ｄの係止部４４ｂを結ぶ基準線Ｘに対して平板部４３が角度θ２（θ１＞θ２、かつθ１−θ２＝θ）となる下降勾配を有するように形成されている。
【００５５】
係止部４４を底板２７から下向きに折曲形成した図示実施形態の場合、底板２７の係止部４４、４４を壁板２６の被係止部４２、４２に挿入係止した状態で、前記基準線Ｘが被係止部４２の角度θ１とされたレール状溝の底に合致するように構成され、従って、係止部４４の高さがレール状溝の深さｄよりも大きい、つまり、Ｈ２＞ｄとなるように形成されている。
【００５６】
そこで、図１０に示すように、梁部材６に取り付けられた壁板２６の被係止部４２、４２に底板２７の係止部４４、４４を係止することにより、複数の底板２７を長手方向に連設すると、各底板２７の平板部４３は、前記所定角度θ（θ＝θ１−θ２）の下降勾配を保持して固定され、その結果、上流側Ｕから下流側Ｄに向けて所定角度θの下り勾配を有する樋２５の底壁が形成される。そして、連設された底板２７、２７の隣り合う平板部４３、４３は、上流側Ｕから下流側Ｄに落下する段差４５を形成する。
【００５７】
従って、樋２５は、連設された底板２７により、遊技機２から排出された遊技球４６を回収方向に移動させるために求められる所定角度θの下降勾配を有する底壁を構成する。しかも、長手方向に間隔をあけて随所に前記段差４５を有するので、樋２５の途中で遊技球４６の回収方向の移動を妨げることはなく、むしろ、段差４５により回収方向の移動を好適に促進する。
【００５８】
上記のように構成することにより、樋２５は、正面側壁板２６Ｆ及び背面側壁板２６Ｂの被係止部４２、４２に底板２７の係止部４４、４４を係止させることにより、複数の底板２７、２７を長手方向に連設するだけで、簡単に所定角度θの下降勾配を有する溝状通路の底壁が形成され、しかも、自動的に段差４５が形成されることになる。そして、複数の底板２７、２７は、上述のように構成することにより、同形同寸に形成できるので、底板２７の取り付け作業を順不同で行うことが可能になる。
【００５９】
パチンコ遊技機２の背部から排出される遊技済みの遊技球４６は、樋２５に落下され、該樋２５の下流側に設けられた貯留槽に向けて移動する。樋２５に落下した遊技球４６は、個数が少ない場合は平板部４３の下降勾配に沿って下流側に速やかに移動するが、個数が多くなり多数の遊技球４６が塊状になると、相互に干渉し合って下流側に向かう移動速度が遅くなる。そして、塊状態の遊技球４６が団結し、球面どうしを噛み合わせて結着すると、下流側に向けて移動しない球止まり状態を招来するおそれがある。この点に関して、図示のように、樋２５の底壁に長手方向に間隔をあけて段差４５を設けた構成によれば、球止まりが好適に防止される。即ち、多数の遊技球４６が塊状に団結している場合でも、少なくとも１個の遊技球４６が段差４５を落下すると、多数塊状の遊技球４６の団結状態が崩壊され、球面を噛み合わせた結着状態を解くので、その結果、遊技球４６の球止まりを生じることなく、好適に下流側に向けて移動させることができる。
【００６０】
図１１は、上記のような本発明の実施形態に対する参考例を示している。参考例は、樋２５ｘの水平な被係止部４２ｘに対して底板２７ｘの係止部４４ｘを係止することにより、複数の底板２７ｘを連設したとき、該底板２７ｘの平板部４３ｘが所定角度θの下降勾配を保持するように、上流側Ｕの係止部４４ｘの高さＨ２と、下流側Ｄの係止部４４ｘの高さＨ１が、Ｈ１＜Ｈ２となるように形成し、しかも、上流側Ｕの平板部４３ｘから下流側Ｄの平板部４３ｘに向けて落下する段差４５ｘを形成している。しかしながら、この参考例のような構成によれば、樋の長さが長くなると、段差４５ｘの数に相当して上流側Ｕの底板２７ｘを嵩高くなるように形成する必要があるので、それぞれの底板２７ｘを個別に製作し、所定順序で連設しなければならない。これに対して、本発明の実施形態の構成によれば、同形同寸の底板２７を必要枚数製作し、順不同に連設するだけで、上述のように、所定角度θの下降勾配を保持し、しかも、段差４５を設けた底壁を形成することができるという利点がある。
【符号の説明】
【００６１】
１  遊技島
２  遊技機
３Ｆ  正面側遊技列
３Ｂ  背面側遊技列
４Ｆ  正面側フレーム
４Ｄ  背面側フレーム
５Ｆ  正面側支柱
５Ｂ  背面側支柱
５Ｕ  支柱ユニット
６  梁部材
６Ｆ  正面側梁部材
６Ｂ  背面側梁部材
７Ｆ  正面側支持板部
７Ｂ  背面側支持板部
７Ｃ  座板
８Ｆ  正面側棚板部
８Ｂ  背面側棚板部
１１  矩形枠
１４  連結支柱部
２５  樋
２６  壁板
２６Ｆ  正面側壁板
２６Ｂ  背面側壁板
２７  底板
２８  盤状体
２９  窓孔
３０ａ、３０ｂ  盤部
３３  水平板部
３４  垂下板部
３５  ナット
３７  被着片
３８  位置決め孔
３９  固着孔
３９ａ  座グリ部
４０  ボルト
４０ａ  ボルト頭部
４２  被係止部
４３  平板部
４４  係止部
４５  段差
【図１】
2010184061.tif 000003
【図２】
2010184061.tif 000004
【図３】
2010184061.tif 000005
【図４】
2010184061.tif 000006
【図５】
2010184061.tif 000007
【図６】
2010184061.tif 000008
【図７】
2010184061.tif 000009
【図８】
2010184061.tif 000010
【図９】
2010184061.tif 000011
【図１０】
2010184061.tif 000012
【図１１】
2010184061.tif 000013